(57)【要約】【課題】   普通の紐等を用いて、誰でも簡単に安価に、しっかりと荷締めができるようにする。【解決手段】    箱状や筒状の荷物をロープや紐などで梱包するときに用いる荷締め具であって、一辺で結合された平板状の二片を有する断面形状が略Ｌ字型で、前期二片は結合された一辺の一端で開放された切り欠き部を有することを特徴とした荷締め具を使用し、普通の市販されている紐等を用いて荷締めを行う。【選択図】      図８
2005096775.tif 000002
【特許請求の範囲】
【請求項１】
箱状や筒状の荷物をロープや紐などで梱包するときに用いる荷締め具であって、一辺で結合された平板状の二片を有する断面形状が略Ｌ字型で、前記二片は結合された一辺の一端で開放された切り欠き部を有することを特徴とした荷締め具。
【請求項２】
請求項１記載の荷締め具において、前記平板状の二片を有する断面形状が略Ｌ字型の荷締め具が、平板状の板を折り曲げて形成したことを特徴とした荷締め具。
【請求項３】
請求項１記載の荷締め具において、前記平板状の二片を有する断面形状が略Ｌ字型の荷締め具が、一辺の一端で蝶番により結合されたことを特徴とした荷締め具。
【請求項４】
請求項１〜３項のいずれか１項に記載の荷締め具において、前記二片の内一辺、もしくは二辺の端部につまみ部を設けたことを特徴とした荷締め具。
【請求項５】
請求項１記載の荷締め具において、前記平板状の二片を幅の狭い線状平板または線材により形成したことを特徴とした荷締め具。
【発明の詳細な説明】
【技術分野】
【０００１】
本発明は、普通の紐等を用いた荷締め具に関するものである。
【背景技術】
【０００２】
昔から連綿と受け継がれてきたロープや紐の結び方をつかった荷締め作業は生活様式の変化などにより、いまではあまり見られなくなった。
【０００３】
現在、簡便な荷締め具が出回っているが、ぎざぎざのある特別なバンドを使ったり（例えば、特許文献１参照）、ＰＰバンドとプラスチック留め具を使ったり（例えば、特許文献２参照）、普通の紐を用いた複雑な機構を使った荷締め機（例えば、特許文献３参照）など、頻繁に使用するためには、それなりの出費を覚悟しなければならない。
【特許文献１】実用新案公報第３０１１７０３号公報
【特許文献２】実公昭４３−２３９１４号公報
【特許文献３】特許第３４０７２０２号公報
【発明の開示】
【発明が解決しようとする課題】
【０００４】
解決しようとする問題点は、上記した特許文献１や特許文献２に記載したような特別なバンドを使えばコストがかかるし、特許文献３に記載したような荷締め機は高価だったりで、古新聞紙の荷造りなど日常的に使うのには問題があるし、手軽に使う気にはなれない点である。
【課題を解決するための手段】
【０００５】
箱状や筒状の荷物をロープや紐などで梱包するときに用いる荷締め具であって、一辺で結合された平板状の二片を有する断面形状が略Ｌ字型で、前記二片は結合された一辺の一端で開放された切り欠き部を有することを特徴とした荷締め具を使用し、普通の市販されている紐等を用いて荷締めを行う。
なお、荷締め具は、前記平板状の二片を有する断面形状が略Ｌ字型で、平板状の板を折り曲げて形成しても良い。
又、荷締め具は、前記平板状の二片を有する断面形状が略Ｌ字型で、一辺の一端で蝶番により結合されても良い。
又、上記の荷締め具は、前記二片の内一辺、もしくは二辺端部につまみ部を設けても良い。
さらに、荷締め具は、前記平板状の二辺を、幅の狭い線状平板、又は線材を用いて形成しても良い。
【０００６】
この発明において、荷締め具を上記のような形状とするのは、図６から図８に示すような荷締め作業を行うためである。
まず、荷造りしようとする荷物１に紐２を１回巻き付ける。次にこの荷締め具３を荷造りしようとする荷物１の角などに密着させて、紐２の内側に差し込み（図６）もう１度紐２を荷物１に巻き、紐２の両端を荷締め具の一方のそれぞれの面の内側を通して切り欠き部ａから引き出し（図７）、紐２を強くひく。
すると、荷締め具３と荷物１に紐２が挟まれているので、摩擦により紐２は締まったまま弛まない。そこで荷締具３の切り欠き部ａで楽に紐を結ぶことが出来る（図８）。そのあと荷締具３を引き抜き、何度でも使うこともできる。
【発明の効果】
【０００７】
荷締めに、普通の紐等を用いるために費用はわずかで済む。
荷締具そのものが、簡単な物で安価である。
荷締め作業が簡単で、容易なものとなる。
紐を強く引けば、しっかりとした荷造りができる。
【発明を実施するための最良の形態】
【０００８】
荷締め具３の材料は、金属、プラスチック、木、紙等の剛性材で、形状は厚さ０．１〜３０ｍｍ、幅１０〜１００ｍｍ、長さ１５〜１５０ｍｍ、切り欠き部ａの幅５〜７０ｍｍ、長さ１０〜１００ｍｍくらいで使用する紐やロープの太さにより使い分ける。また、荷締め具３の内側で、紐２と当たる面は折り返しをつけるとか、表面肌を粗くするとか、滑りの悪い皮膜をつけるなど摩擦係数を大きくする。荷締め具３の紐２を差し込む部分はかえりをつけるなど、紐２がスムーズに入るように、工夫する。つまみ部ｂは紐２を用いて荷締めを行い、荷締め具３を引き抜く場合に使用する。この場合、荷締め具３は小型で、つまみ部のおおきさは幅１０〜５０ｍｍ、長さ２０〜７０ｍｍ、厚さ０．１〜６ｍｍ板状もしくはループ型で荷締め具３の材料、おおきさに合わせた形、おおきさとする。
【実施例１】
【０００９】
図１に基づいて実施例１を説明する。  
実施例１に示す荷締め具３は、０．５ｍｍ鋼板をＬ字型に折り曲げ、折り曲げ部の一部を片面５ｍｍずつ切り欠き（切り欠き部ａ）、Ｌ字型の内側に折り返しを付け、紐２との摩擦を大きくする工夫をしている。おおきさはＬ字型部が長さ３０ｍｍ、片面の幅がそれぞれ２０ｍｍ、１５ｍｍ。つまみ部ｂは２０ｍｍの面に長さ２５ｍｍで鋼板をＬ字型部から２５゜の角度で折り曲げて設けてある。使用例を図８に示す。実施例１に示す荷締め具３は荷締め後、引き抜いて何度でも使うことができる。
【実施例２】
【００１０】
図２に基づいて実施例２を説明する。
実施例２に示す荷締め具３は、直径５ｍｍの番線をコの字型に曲げ、さらにコの字型の縦線部をコの字型を含む平面に直角な平面内で略Ｌ字型に折り曲げ、略Ｌ字型内面にそって番線を２ｍｍ程削り取ってある。大きさは長さ６０ｍｍ、線間幅２５ｍｍ程である。図９のように荷締めしようとする荷物１が円柱にちかい形をしている場合など、まず荷物１に、紐２を一回巻き付け、荷物１の母線に平行に、この実施例２に示す荷締め具３を密着させながら、紐２の内側に差し込み、もう一度紐２を荷物１に巻き、紐２の両端を実施例２に示す荷締め具３の一方のそれぞれの面の内側を通して解放部ｃから引き出し、紐２を強くひき、この開いている部分で紐２を結ぶ。使用例を図９に示す。そのあと実施例２に示す荷締め具３を、引き抜き、何度でも使うことも可能である。
実施例２に示す荷締め具３は、角を持つ荷物の荷締めにも用いることができる。
【実施例３】
【００１１】
図３に基づいて実施例３を説明する。
実施例３に示す荷締め具３は、ふたつの厚さ０．５ｍｍ、長さ５０ｍｍ、幅２０ｍｍ鋼板を蝶番ｄで結合し、蝶番部ｄの一端を幅５ｍｍ、長さ２０ｍｍ切り欠いた（切り欠き部ａ）場合である。鋼板の荷物１と接する面は摩擦の大きな塗料で被覆して、摩擦を大きくしている。図１０に示すように荷物１の断面が台形にちかい形をしている場合などに使用し、荷締め後、引き抜き、何度でも使うことも可能である。
【実施例４】
【００１２】
図４に基づいて実施例４を説明する。
実施例４に示す荷締め具３は、プラスチックで、長さ３０ｍｍ、幅２０ｍｍ、厚さ５ｍｍ二片を内側にギザギザの突起を設けたＬ字型に成形した場合である。切り欠き部ａは幅５ｍｍ、長さ１５ｍｍである。荷締め後、引き抜かずに使用する。使用例を図１１に示す。
【実施例５】
【００１３】
図５に基づいて実施例５を説明する。
実施例５に示す荷締め具３は、プラスチックで厚さ１０ｍｍ、長さ８０ｍｍ、幅５０ｍｍ二片をＬ字型に成形した場合である。切り欠き部ａは幅２０ｍｍ長さ４０ｍｍである。６ｍｍのロープを使う場合、プラスチック板の外面に直径６ｍｍの半円形ロープ案内溝ｅ、プラスチック板の内側に直径５ｍｍの半円形ロープ案内溝ｅを設け、荷締め具３とロープの摩擦をおおきくしている。使用例を図１２に示す。
【図面の簡単な説明】
【００１４】
【図１】実施例１とした荷締め具の表面と裏面を示した説明図である。
【図２】実施例２とした荷締め具の表面と裏面を示した説明図である
【図３】実施例３とした荷締め具を示した説明図である
【図４】実施例４とした荷締め具の表面と裏面を示した説明図である
【図５】実施例５とした荷締め具の表面と裏面を示した説明図である
【図６】実施例１の荷締め具を用いて荷物を梱包する手順を示した説明図である。
【図７】実施例１の荷締め具を用いて荷物を梱包する手順を示した説明図である。
【図８】実施例１の荷締め具を用いて荷物を梱包する手順を示した説明図である。
【図９】実施例２の荷締め具を用いて荷物を梱包した状態を示した説明図である。
【図１０】実施例３の荷締め具を用いて荷物を梱包した状態を示した説明図である。
【図１１】実施例４の荷締め具を用いて荷物を梱包した状態を示した説明図である。
【図１２】実施例５の荷締め具を用いて荷物を梱包した状態を示した説明図である。
【符号の説明】
【００１５】
a  荷締め具の切り欠き部
ｂ  荷締め具のつまみ部
c  荷締め具の開放部
d  荷締め具の蝶番部
ｅ  荷締め具のロープ案内溝
１  荷締めする荷物
２  荷締めに使用する紐
３  荷締め具
【図１】
2005096775.tif 000003
【図２】
2005096775.tif 000004
【図３】
2005096775.tif 000005
【図４】
2005096775.tif 000006
【図５】
2005096775.tif 000007
【図６】
2005096775.tif 000008
【図７】
2005096775.tif 000009
【図８】
2005096775.tif 000010
【図９】
2005096775.tif 000011
【図１０】
2005096775.tif 000012
【図１１】
2005096775.tif 000013
【図１２】
2005096775.tif 000014